(57)【特許請求の範囲】
【請求項１】
あらかじめ与えられた試料のあおり角（α）に基づき、所定の原点（Ｏ）を通る所定の軸（Ω軸）を中心に試料を回転させて試料面に対するＸ線の入射角（ω）を、上記あおり角（α）だけ試料を傾けたときの極点測定位置に相当する所定位置へ設定するとともに、
上記あおり角（α）に基づき、上記所定の軸（Ω軸）と直交する第１の平面に沿って該所定の軸（Ω軸）を中心にＸ線検出器を回転（２θ回転）させ、かつ上記所定の軸（Ω軸）を含み上記第１の平面と直交する第２の平面に沿って原点（Ｏ）を中心にＸ線検出器を回転（２θχ回転）させることにより、上記あおり角（α）だけ試料を傾けたときの極点測定位置に相当する所定位置へＸ線検出器を配置し、
かつ、上記あおり角（α）に基づき、試料の面内回転方向の測定角度に関する補正値（Δβ）を算出し、あらかじめ与えられた試料の面内回転方向の測定角度（β）に上記補正値（Δβ）を加味した面内回転方向の測定角度（φ）を設定し、
次いで、試料面から回折してくる回折Ｘ線を上記Ｘ線検出器で検出することにより試料の極点を求める極点測定方法。
【請求項２】
所定の原点（Ｏ）を通る所定の軸（Ω軸）を中心に試料を回転させるとともに、上記所定の軸（Ω軸）と直交する第１の平面に沿って上記所定の軸（Ω軸）を中心にＸ線検出器を回転（２θ回転）させ、かつ上記所定の軸（Ω軸）を含み上記第１の平面と直交する第２の平面に沿って原点（Ｏ）を中心にＸ線検出器を回転（２θχ回転）させ、さらに上記原点（Ｏ）を通る所定の軸（Φ軸）を中心に試料を面内回転させる機能を備えたＸ線回折装置を用いた極点測定方法であって、次の（ａ）乃至（ｄ）のステップを含む極点測定方法。
（ａ）  あらかじめ与えられたあおり角（α）に基づき、所定の原点（Ｏ）を通る所定の軸（Ω軸）を中心に試料を回転させて試料面に対するＸ線の入射角（ω）を、上記あおり角（α）だけ試料を傾けたときの極点測定位置に相当する所定位置へ設定する。
（ｂ）  上記あおり角（α）に基づき、上記所定の軸（Ω軸）と直交する第１の平面に沿って該所定の軸（Ω軸）を中心にＸ線検出器を回転（２θ回転）させ、かつ上記所定の軸（Ω軸）を含み上記第１の平面と直交する第２の平面に沿って原点（Ｏ）を中心にＸ線検出器を回転（２θχ回転）させることにより、上記あおり角（α）だけ試料を傾けたときの極点測定位置に相当する所定位置へＸ線検出器を配置する。
（ｃ）  上記あおり角（α）に基づき、試料の面内回転方向の測定角度に関する補正値（Δβ）を算出し、あらかじめ与えられた試料の面内回転方向の測定角度（β）に上記補正値（Δβ）を加味した面内回転方向の測定角度（φ）を設定する。
（ｄ）  上記（ａ）乃至（ｃ）のステップを行った後、試料面から回折してくる回折Ｘ線を上記Ｘ線検出器で検出することにより試料の極点を求める。
【請求項３】
請求の範囲１または２の極点測定方法において、
あらかじめ与えられた試料のあおり角（α）に基づき、次式をもって上記Ｘ線の入射角（ω）、Ｘ線検出器の回転角（２θおよび２θχ）および試料の面内回転方向の測定角度（φ）を算出して設定することを特徴とする極点測定方法。
0003664483.tif 000005
ここで、ｅx、ｅy、ｅzは、試料の面内回転軸（Φ軸）をｘ軸、上記Ω軸をｚ軸、試料面上のあおり軸に相当する軸をｙ軸として定義された、原点Ｏで交わるｘｙｚ直交座標軸の単位ベクトルであり、βは、あらかじめ与えられた試料の面内回転方向の測定角度である。
また、ｘ軸周りの回転マトリクスをＲｘとして、
Ｋ0”＝Ｒｘ（Δβ）Ｋ0’
Ｋ1”＝Ｒｘ（Δβ）Ｋ1’
さらに、ｙ軸周りの回転マトリクスをＲｙ、ｚ軸周りの回転マトリクスをＲｚとして、
Ｋ0’＝Ｒｙ（−α）Ｋ0
Ｋ1’＝Ｒｙ（−α）Ｋ1
Ｋ’＝Ｋ1’−Ｋ0’
Ｋ1＝Ｒｚ（−２θb）Ｋ0
なお、θbはあらかじめ与えられた特定の反射のブラッグ角であり、Ｋ0はこのブラック角に設定された入射Ｘ線の波数ベクトルである。
【発明の詳細な説明】
技術分野
本発明は、Ｘ線回折装置を用いて多結晶試料を分析するための極点測定方法に関する。
背景技術
Ｘ線回折装置を用いた多結晶試料の分析方法に、極点図をもって試料の配向（集合組織）等を分析する極点測定方法がある。極点図は、試料を構成する結晶の特定の格子面に関する極を、図６に示すようなポーラーネット（ステレオ投影図）に表したものである。ここで、極とは試料を構成する結晶を中心とする投影球（projection sphere）と格子面の法線との交点をいう。
図５は、従来の４軸Ｘ線回折装置を用いた極点測定方法を説明するための模式図である。
同図に示すように、試料Ｓは、Ω軸周りにω回転するとともに、試料面Ｓａ内のΨ軸を中心に回転自在であり、かつ試料面Ｓａに直交するΦ軸を中心として面内回転する。これらΩ軸、Ψ軸、Φ軸は、それぞれ試料面Ｓａ上の原点（一般に、試料中心）Ｏで交わっている。入射Ｘ線Ｘ0は、赤道面に沿って入射角θで試料面Ｓａに入射させる。この入射角θの設定は、試料のω回転によって行われる。なお、図５において、赤道面は、原点Ｏを通りΩ軸と直交する水平面である。
Ｘ線検出器１は、Ω軸と同軸周りに赤道面上を回転するカウンタアームに装着されている。一般に、極点測定ではブラッグの回折条件を満足する赤道面上の対称位置、すなわち試料面Ｓａに対するＸ線の入射角θと等しいＸ線の出射角方向にＸ線検出器１を配置する。つまり、Ｘ線検出器１は、カウンタアームのΩ軸周りの回転により、入射角θで試料に入射する入射Ｘ線Ｘ0に対して、２θの角度位置に位置決めされる。
そして、試料ＳをΨ軸周りに微小角度単位で回転させるとともに、所定の角度（あおり角α）ごとに、Φ軸を中心に試料Ｓを面内回転させる。このようにして、各あおり角αと面内回転角βをパラメータとし、試料面Ｓａからブラッグ反射してくる回折Ｘ線Ｘ1を、２θの角度位置に固定した赤道面上のＸ線検出器１で測定する。
この測定結果をポーラネットと称するグラフに表示することで、極点図が作成される。ここで、ポーラーネットは、径方向にあおり角αをとり、中心がα＝９０°、外周がα＝０°と定義されている。あおり角αは、試料面が赤道面に対して直交するときを９０°としている。また、ポーラーネットにおいて、面内回転角βは円周方向にとる。
図７は冷間圧延した７０−３０ＣｕＺｎの（１１１）を極とした極点図の例を示している。
さて、従来の極点測定は、入射Ｘ線にラインビームを用いているので、あおり角αが小さくなると（すなわち、図５において試料面が水平面側に傾くと）、試料面に対する入射Ｘ線の照射幅が広がるとともに、入射Ｘ線の一部のみが回折に寄与することとなる結果、入射Ｘ線の強度がいちじるしく低下する。このため、あおり角αの小さい低角度領域では、反射法、すなわち試料面から外側にブラッグ反射してきた回折Ｘ線を測定する方法によっては、極点を測定することができない。
そこで、従来は、低角度領域については、透過法、すなわち試料を透過してきた回折Ｘ線を測定する方法を用いて、極点測定を行っていた。一般に、あおり角αが、９０°〜２５°の領域については反射法が用いられ、２５°〜０°の領域では透過法が用いられていた。
しかしながら、透過法による測定では、試料の自己吸収により透過Ｘ線強度が減少するために、厚みのある試料や基板上に形成された試料では十分なＸ線強度が得られず、ごく薄い試料しか測定できないという難点があった。したがって、従来、これら厚みのある試料や基板上に形成された薄膜試料については、あおり角αの低角度領域に関し、極点測定を行うことができなかった。
発明の開示
本発明は、従来の極点測定におけるあおり角αの高角度領域から低角度領域に相当するインプレーン回折領域までのほぼすべての領域に対する極点測定を、反射法により実現することを目的とする。
ここで、インプレーン回折とは、図８に示すように、Ｘ線Ｘ0を試料面Ｓａに対して微小入射角度δで入射させると、試料Ｓの内部に試料面Ｓａと平行に走るＸ線の成分が現れ、そのＸ線成分が試料面Ｓａに垂直な結晶面Ｐによって回折を起こして、回折Ｘ線Ｘ2が試料面Ｓａすれすれに出ていくという回折現象である。
本発明の極点測定方法は、インプレーン回折装置と称する次の機能を備えたＸ線回折装置を用いることにより実現される。すなわち、インプレーン回折装置は、図１に示すように、試料面Ｓａ上の原点Ｏ（一般に、試料中心）を通るΩ軸周りに試料Ｓをω回転させるとともに、Ω軸と直交する第１の平面Ｐ１（赤道面）に沿ってΩ軸を中心にＸ線検出器１を２θ回転させ、かつΩ軸を含み第１の平面Ｐ１と直交する第２の平面Ｐ２に沿って原点Ｏを中心にＸ線検出器１を２θχ回転させる機能を備えている。
試料Ｓは上記Ω軸上に試料面Ｓａが配置され、試料面Ｓａ上の原点Ｏに向けて入射Ｘ線Ｘ0が照射される。入射Ｘ線Ｘ0の試料面Ｓａに対する入射角度ωは、試料Ｓのω回転によって設定される。また、インプレーン回折装置は、原点Ｏを通り試料面Ｓａと直交するΦ軸周りに試料Ｓを面内回転（β回転）させる機能を備えている。
従来の４軸Ｘ線回折装置は、赤道面（原点Ｏを通りΩ軸と直交する平面）上にあらわれる回折Ｘ線を検出する構成となっていたが（図５参照）、上述したインプレーン回折装置では（図１参照）、赤道面（原点Ｏを通りΩ軸と直交する平面）と異なった回折面上に出射される回折Ｘ線を、Ｘ線検出器１の２θ回転および２θχ回転の設定をもって検出可能となっている。なお、回折面とは、入射Ｘ線と試料からの回折Ｘ線が載る平面である。
本発明は、このようなインプレーン回折装置の特性を利用して、従来の４軸Ｘ線回折装置を用いた極点測定方法において、試料Ｓをあおり角αだけ傾けたときに赤道面上にあらわれる回折Ｘ線を、試料Ｓを傾けることなくＸ線検出器１の２θ回転および２θχ回転をもって、赤道面とは異なった回折面で検出することを特徴としている。
すなわち、本発明は、次の（ａ）〜（ｄ）の操作を含む方法をもって極点測定を行うものである。
（ａ）  あらかじめ与えられたあおり角（α）に基づき、所定の原点（Ｏ）を通る所定の軸（Ω軸）を中心に試料を回転させて試料面に対するＸ線の入射角（ω）を、上記あおり角（α）だけ試料を傾けたときの極点測定位置に相当する所定位置へ設定する。
（ｂ）  上記あおり角（α）に基づき、上記所定の軸（Ω軸）と直交する第１の平面に沿って該所定の軸（Ω軸）を中心にＸ線検出器を回転（２θ回転）させ、かつ上記所定の軸（Ω軸）を含み上記第１の平面と直交する第２の平面に沿って原点（Ｏ）を中心にＸ線検出器を回転（２θχ回転）させることにより、上記あおり角（α）だけ試料を傾けたときの極点測定位置に相当する所定位置へＸ線検出器を配置する。
（ｃ）  上記あおり角（α）に基づき、試料の面内回転方向の測定角度に関する補正値（Δβ）を算出し、あらかじめ与えられた試料の面内回転方向の測定角度（β）に上記補正値（Δβ）を加味した面内回転方向の測定角度（φ）を設定する。
（ｄ）  次いで、試料面から回折してくる回折Ｘ線を上記Ｘ線検出器で検出することにより試料の極点を求める。
これにより、あおり角αの高角領域からインプレーン回折領域に相当するすべての測定領域に対し反射法による極点測定を実現し、薄膜試料や厚みのある試料に対しても高精度な極点測定データを得ることが可能となる。
【図面の簡単な説明】
図１は、本発明の極点測定方法に用いるインプレーン回折装置の概要を示す模式図である。
図２は、本発明に係る極点測定方法の原理を説明するための平面図である。
図３Ａは、図２に続く、本発明に係る極点測定方法の原理を説明するための平面図である。
図３Ｂは、図２に続く、本発明に係る極点測定方法の原理を説明するための正面図である。
図３Ｃは、図２に続く、本発明に係る極点測定方法の原理を説明するための左側面図である。
図４Ａは、図３に続く、本発明に係る極点測定方法の原理を説明するための平面図である。
図４Ｂは、図３に続く、本発明に係る極点測定方法の原理を説明するための正面図である。
図４Ｃは、図３に続く、本発明に係る極点測定方法の原理を説明するための左側面図である。
図５は、従来の極点測定方法を説明するための模式図である。
図６は、一般的なポーラーネットを示す図である。
図７は、冷間圧延した７０−３０ＣｕＺｎの（１１１）を極とした極点図である。
図８は、インプレーン回折を説明するための斜視図である。
発明を実施するための最良の形態
以下、この発明の最適な実施形態を図面に基づいて説明する。
本実施形態における極点測定方法では、図１に示したインプレーン回折装置を利用して、試料面Ｓａのあおり操作の代わりに、Ｘ線検出器を２θχ回転させている。そして、この回転操作によって、従来の４軸Ｘ線回折装置を用いた極点測定方法（図５参照）を実施した場合に、あおり角αで赤道面上にあらわれる回折Ｘ線を、該２θχ回転した位置で検出する。
図２、図３Ａ、図３Ｂ，図３Ｃ、図４Ａ、図４Ｂ、図４Ｃは本発明に係る極点測定方法の原理を説明するための図で、このうち図２、図３Ａ、図４Ａが平面図、図３Ｂ、図４Ｂが正面図、図３Ｃ、図４Ｃが左側面図である。
これらの図を参照して、本発明の極点測定方法の原理について説明する。
まず、図１に示したインプレーン回折装置のΦ軸をｘ軸、Ω軸をｚ軸、試料面Ｓａ上のあおり軸に相当する軸をｙ軸として、原点Ｏで交わるｘｙｚ直交座標系を想定する。
そして、図２に示すように、試料のあおり角α＝９０°のときの入射Ｘ線、回折Ｘ線、散乱Ｘ線の波数ベクトルを、それぞれＫ0、Ｋ1、Ｋとし、これらの各ベクトルが載る回折面１を赤道面上に定義する。
次に、図３Ａ、図３Ｂ、図３Ｃに示すように、回折面１をｙ軸周りにあおり角αだけ傾けた状態の回折面２を定義し、この回折面２上の入射Ｘ線、回折Ｘ線、散乱Ｘ線の波数ベクトルを、それぞれＫ0’、Ｋ1’、Ｋ’とする。
さらに、回折面２をｘ軸周りにΔβだけ図４Ｂの反時計方向に回転し、この回折面２上にある入射Ｘ線の波数ベクトルＫ0’を回折面１に載せる。このようにΔβだけ回転した回折面２を回折面３と定義し、この回折面３上の入射Ｘ線、回折Ｘ線、散乱Ｘ線の波数ベクトルを、それぞれＫ0”、Ｋ1”、Ｋ”とする。
本発明の極点測定方法では、あらかじめ設定された試料Ｓのあおり角αに対して、この回折面３の回折条件を満たすように、試料面Ｓａに対する入射Ｘ線Ｘ0の入射角度ω、Ｘ線検出器１の２θ回転および２θχ回転の角度を設定する。さらに、上記あらかじめ設定された試料Ｓのあおり角αに基づいて、試料の面内回転方向の測定角度に関する補正値Δβを算出する。そして、あらかじめ与えられた試料の面内回転方向の測定角度βに上記補正値Δβを加味した面内回転方向の測定角度φを設定して、試料の極点測定を実行する。
すなわち、座標軸ｘ、ｙ、ｚ周りの回転マトリクスを、それぞれＲｘ、Ｒｙ、Ｒｚとおくと、回転角δにおける回転マトリクスＲｘ（δ）、Ｒｙ（δ）、Ｒｚ（δ）は、次のように表される。
0003664483.tif 000002
次に、ｘ、ｙ、ｚ座標軸の単位ベクトルを、それぞれｅx、ｅy、ｅzとし、特定の反射のブラッグ角をθbとすると、上述した回折面１に載る入射Ｘ線の波数ベクトルＫ0、回折Ｘ線の波数ベクトルＫ1、散乱Ｘ線の波数ベクトルＫは、上式（３）を用いて、次のように計算される。
Ｋ1＝Ｒｚ（−２θb）Ｋ0      ・・・(4)
Ｋ＝Ｋ1−Ｋ0            ・・・(5)
したがって、上述した回折面２に載る入射Ｘ線の波数ベクトルＫ0’、回折Ｘ線の波数ベクトルＫ1’、散乱Ｘ線の波数ベクトルＫ’は、次のように表される。
Ｋ0’＝Ｒｙ（−α）Ｋ0    ・・・(6)
Ｋ1’＝Ｒｙ（−α）Ｋ1    ・・・(7)
Ｋ’＝Ｋ1’−Ｋ0’        ・・・(8)
これにより、試料面Ｓａの面内回転方向の測定角度に関する補正値Δβは以下のように計算することができる。
0003664483.tif 000003
次に、インプレーン回折装置におけるＸ線入射角ω、Ｘ線検出器の回転角２θおよび２θχ、試料面Ｓａの面内回転方向の測定角度φは、以下のように計算される。なお、（１５）式において、βはあらかじめ与えられた試料の面内回転方向の測定角度である。
0003664483.tif 000004
ここで、（１５）式において、Δβから１８０°差し引いた角度にφを設定しているのは、図３Ａ、図３Ｂ，図３Ｃに示す回折面２の回転方向に対し、実際のあおり角αの回転方向は逆向きとなるため、その方向を修正したものである。
本発明の極点測定方法では、上記の（１３）〜（１４）式を用いて、あらかじめ設定された試料のあおり角αに基づき、ω、２θ、２θχの設定値を算出し、各設定値にインプレーン回折装置をセッティングする。そして、（１５）式で求めた試料Ｓの面内回転方向の測定角度φを設定し、極点を測定する。この発明による極点測定方法では、試料のあおり操作を伴わないので、あおり角αの高角領域からインプレーン回折領域に相当するすべての測定領域に対し反射法による極点測定を行うことができる。
産業上の利用可能性
以上説明したように、本発明によれば、あおり角αの高角領域からインプレーン回折領域に相当するすべての測定領域に対し反射法による極点測定を実現し、薄膜試料や厚みのある試料に対しても高精度な極点測定データを得ることができる。
【図１】
0003664483.tif 000006
【図２】
0003664483.tif 000007
【図３Ａ】
0003664483.tif 000008
【図３Ｂ】
0003664483.tif 000009
【図３Ｃ】
0003664483.tif 000010
【図４Ａ】
0003664483.tif 000011
【図４Ｂ】
0003664483.tif 000012
【図４Ｃ】
0003664483.tif 000013
【図５】
0003664483.tif 000014
【図６】
0003664483.tif 000015
【図７】
0003664483.tif 000016
【図８】
0003664483.tif 000017